(57)【要約】【課題】照光状態で顕示性が発揮されることはもとより、遊技者の興趣をそそる効果を高めることができる遊技機の表示装置を提供する。【解決手段】遊技状態を表示する表示部３，４と、照光部５と、を備えている遊技機の表示装置において、前記照光部５は、正面形状が扇形をなし、前記扇形の要部５２ａから放射状に延びる複数の凹凸条部５２１が形成された導光板５２と、前記導光板５２の外周端面５２ｂに臨んで配設された光源５１と、前記導光板の裏面に対応して設けられた反射部５３と、を備える。【選択図】  図１
2010035720.tif 000002
【特許請求の範囲】
【請求項１】
遊技状態に関するデータを表示する表示部と、遊技状態に応じて装飾的に発光する照光部と、を備えている遊技機の表示装置において、
前記照光部は、
正面形状が扇形をなし、前記扇形の要部から放射状に延びる複数の凹凸条部が形成された導光板と、
前記導光板の外周端面に臨んで配設された光源と、
前記導光板の裏面に対応して設けられた反射部と、
を備えていることを特徴とする遊技機の表示装置。
【請求項２】
前記凹凸条部は、横断面形状が三角形状である請求項１に記載の遊技機の表示装置。
【請求項３】
前記光源は、前記導光板の外周端面に沿って配列された複数の発光ダイオードで構成されている請求項１または２に記載の遊技機の表示装置。
【請求項４】
前記反射部は、前記導光板の裏面側に配置された光散乱板から構成されている請求項１〜３のいずれか一項に記載の遊技機の表示装置。
【発明の詳細な説明】
【背景技術】
【０００１】
この発明は、パチンコ機やスロット機等の遊技機に装備されて、遊技状態の変化等を表示する表示部と照光部とを備えている遊技機の表示装置に関する。
【技術分野】
【０００２】
パチンコ機やスロット機等の遊技機に装備される表示装置としては、大当たりや確変等の遊技状態の変化等のデータを表示する表示部の他に、遊技状態に応じて装飾的に発光する照光部を備えているものが普及している。
【０００３】
前記照光部は、遊技者や店員等に目立ちやすい顕示性が望まれており、従来より各種の工夫がなされている。
【０００４】
このような照光部としては、たとえば、複数の発光素子からの光を外部に伝達する透光性の表示窓を設け、前記発光素子からの光が表示窓に対して遮光度が異なるように遮光板を設ける技術が開示されている（例えば、特許文献１参照）。
【０００５】
また、環状に配列された内側斜面を有する複数のサブプリズムで有底環状のプリズムを構成し、このプリズムの底面から光源の光を入射させるようにした技術も提案されている（例えば、特許文献２参照）。
【０００６】
さらにまた、平板状導光板の側面に対向して光源を配置するとともに、導光板の裏面に光源からの光を反射する多数の反射面を形成し、導光板の表面に拡散板を配置した技術が提案されている（例えば、特許文献３参照）。
【特許文献１】特許第２９３６４６１号公報
【特許文献２】特開２００４−３２７０５１号公報
【特許文献３】特開２００３−１８１１１５号公報
【発明の開示】
【発明が解決しようとする課題】
【０００７】
しかしながら、上述した従来の表示装置では、光源からの光の放射方向を変えたり、拡散面積を拡げたりすることにより、遊技者等に強い印象を与えたりすることが可能となるものの、とくに遊技者の興趣を高める程の特異な照光が得られるものでもなく、物足りない。
【０００８】
この発明は、上記実情に鑑みてなされたものであり、照光状態で顕示性が発揮されることはもとより、遊技者の興趣をそそる効果が高められる遊技機の表示装置を提供することを課題としている。
【課題を解決するための手段】
【０００９】
上記課題は、以下の手段によって解決される。
【００１０】
［１］遊技状態に関するデータを表示する表示部と、遊技状態に応じて装飾的に発光する照光部と、を備えている遊技機の表示装置において、
前記照光部は、
正面形状が扇形をなし、前記扇形の要部から放射状に延びる複数の凹凸条部が形成された導光板と、
前記導光板の外周端面に臨んで配設された光源と、
前記導光板の裏面に対応して設けられた反射部と、
を備えていることを特徴とする遊技機の表示装置。
【００１１】
［２］前記凹凸条部は、横断面形状が三角形状である前項１に記載の遊技機の表示装置。
【００１２】
［３］前記光源は、前記導光板の外周端面に沿って配列された複数の発光ダイオードで構成されている前項１または２に記載の遊技機の表示装置。
【００１３】
［４］前記反射部は、前記導光板の裏面側に配置された光散乱板から構成されている前項１〜３のいずれか一項に記載の遊技機の表示装置。
【発明の効果】
【００１４】
前項［１］に記載の発明によれば、照光部における光源からの光が扇形をなす導光板の外周端面から入射し、その光の大部分は該導光板の凹凸条部に沿って進んで扇形の要（かなめ）部に集中し、そこで反射されて導光板全域に巡る状態となる。つまり、導光板に入射した光が扇形全体でキラキラと光って遊技者等の目を引くことになるうえ、光が集中する導光板の要部が特に明るくなるので、そこが扇形の照光状態の中で特異な発光部分となり、興趣性に優れた照光効果が発揮される。
【００１５】
前項［２］に記載の発明によれば、凹凸条部の横断面形状が三角形状であるから、導光板に要部に集中する際や反射する際の光がプリズムの働きによって様々な方向へ屈折されるため、特に興趣性に優れた照光効果が発揮される。
【００１６】
前項［３］に記載の発明によれば、光源が発光ダイオードであるから、電力消費が抑制されるうえ、発光色が異なるものや発光色が変化するものを選択することにより、複数色の光が混ざり合う照光状態を容易に現出させることができる。
【００１７】
前項［４］に記載の発明によれば、導光板の裏面に向かう光が散乱されて導光板内に戻されるため、導光板前面側での照光状態が全域で均等化される。
【発明を実施するための最良の形態】
【００１８】
以下、この発明の実施形態を図面に基づいて説明する。
【００１９】
図１は、この発明の一実施形態に係る遊技機の表示装置を示す正面図、図２は、同じく表示装置における照光部を示す概略側面断面図である。
【００２０】
図１および図２において、この遊技機の表示装置は、装置本体１と、装置本体１の中央部に配備された呼び出しボタン２と、装置本体１の左半分に設けられた第１表示部３と、装置本体１の右半分に設けられた第２表示部４と、装置本体１の上側に配備された照光部５とを備えている。
【００２１】
装置本体１は、図示しないシャーシと、合成樹脂等で略長方形に成形されて前記シャーシに装着された前面カバー１１とからなる。
【００２２】
呼び出しボタン２は、例えば遊技機にトラブル等が発生した場合に遊技者が店員を呼び出すためのものである。
【００２３】
第１表示部３は、例えば「最高大当たり連続箱数」等を表示するものであり、例えば日の字形セグメントを使用した大形ＬＣＤ等を有している。
【００２４】
第２表示部４は、例えば「大当たり」、「確変」等の入賞状態を表示するものであり、例えば日の字形セグメントを使用して数字を表示する小形ＬＣＤやグラフ状の表示器等を有している。
【００２５】
照光部５は、遊技状態に応じて装飾的に発光するものであり、遊技者が店員等を呼び出す呼び出しボタンの押圧操作等に応じても発光動作するようになっている。
【００２６】
この照光部５は、表示装置本体１内の上部に配設された光源５１と、光源５１からの光を所定方向へ導く導光板５２と、この導光板５２の裏面に対応して設けられた反射部５３と、光源５１に対する外装部材５４とを備えている。
【００２７】
前記光源５１は、例えば複数の発光ダイオード（ＬＥＤという）が用いられている。これら光源５１…は、前記装置本体１の上側において、略円弧状に配列されるとともに、装置本体１側に配設された基板１２に装着されている。なお、光源としてＬＥＤを採用することにより、電球等に比べて電力消費が抑制される。
【００２８】
前記導光板５２は、例えば図３〜図５に示すように、アクリル樹脂等の透光性を有する素材からなり、正面形状が略扇形をなし、かつ中央部が表面側へ膨出する湾曲状に形成されている。
【００２９】
この導光板５２の裏面の略全域には、扇の要（かなめ）に相当する導光板５２の基端部（要部という）５２ａから放射状に延びる複数の凹凸条部５２１が形成されている。各凹凸条部５２１は、図４に示すように、この実施形態では横断面形状が三角形をなすプリズム形状に構成され、要部５２ａから外周端面５２ｂにかけて横断面形状の三角形がほぼ相似形状を保ちながら拡大するようになっている。
【００３０】
前記光源５１…は、この導光板５２の外周端面５２ｂに臨むように、凹凸条部５２１…の各凸部に対応する位置に配設されている。これにより光源５１…から発せられた光は導光板５２の外周端面５２ｂから入射し、凹凸条部５２１…に導かれて要部５２ａに集まるようになっている。
【００３１】
前記反射部５３は、導光板５２からその裏面側に出ようとする光を導光板５２内に戻すように反射させるものであり、この実施形態では、光を乱反射させる白色シート状の光拡散板を導光板５２の形状に合わせて扇形に成形したもので構成されている。
【００３２】
また、導光板５２の左右両縁部５２ｄにも反射部が形成されており、この左右両縁部から外部に出ようとする光を反射して導光板５２に内に戻すようになっている。この左右両縁部５２ｄの反射部は、導光板５２自体に反射面を形成する塗料が塗布されることで形成されている。
【００３３】
導光板５２の左右両縁部５２ｄおよび反射部５３の左右両縁部には、図３に示すように、それぞれ下方へ突出する凸片部５２２…，５３２…が形成されている。これら凸片部５２２…、５３２…が装置本体１側に設けられた係合凹部（図示せず）と嵌合することにより、導光板５２および反射部５３は装置本体１内の所定位置に位置決め保持されるようになっている。
【００３４】
前記外装部材５４は、前記導光板５２の外周端面５２ｂの沿った円弧形に成形されており、光源５１…を前方から覆い隠すようになっている。
【００３５】
つぎに、上記構成からなる遊技機の表示装置の動作の概要を説明する。
【００３６】
遊技中に、例えば「大当たり」や「確変」等が発生すれば、その状態が第２表示部４に表示されて遊技者に報知される。また、第１表示部３には、主に「最高大当たり連続箱数」が数字で表示される。
【００３７】
また照光部５は、遊技中は遊技状態に応じて種々の装飾的発光状態となり、例えば遊技機にトラブル等が生じて遊技者が呼び出しボタン２を押下すれば、店員に通知されるとともに、照光部５はトラブル状態を示す特別な発光動作を行う。
【００３８】
この照光部５における装飾的発光は、以下のようにして行われる。
【００３９】
すなわち、照光部５における複数の光源５１が点灯すると、これら光源５１からの光が導光板５２にその外周端面５２ｂから入光する。導光板５２に入光した光は、前記凹凸条部５２１に沿って導かれて要部５２ｂに集中し、そこから反射して導光板５２の全体に行き渡る。その際、凹凸条部５２１のプリズムの働きをによって光の屈折方向が様々に変わるので、扇状で導光板５２の全域が明るく輝き、顕示性の高い照明となる。
【００４０】
とくに、前記導光板５２に入射した光の多くが要部５２ｂに集中するから、この要部５２ａが他の部位に比較して極めて明るくなる。このため、扇形の照光状態の中で要部５２ａが特異な発光部となり、興趣性に優れた装飾照明効果が発揮される。
【００４１】
さらに、前記導光板５２の凹凸条部５２１の隣接するもの同志は、該導光板５２の厚み部分（図４参照）５２ｃで一体に連結されているので、導光板５２に入射した光は、厚み部分５２ｃも通って隣接側の凹凸条部５２１に進みやすくなり、導光板５２内での光が交叉し、一層華やかな照明となる。
【００４２】
また、前記複数の光源５１…を構成するＬＥＤとして発光色が異なるものを選択することにより、複数色の発光が混ざり合う照光状態を容易に現出させることができる。
【００４３】
さらに光源５１…のＬＥＤとして発光色が変化するものを選択することにより、発光色が時間変化していく照光状態を現出させることもできる。
【００４４】
一方、導光板５２に入射した光のうち、その裏面側に向かう光が白色の光拡散板（反射部５３）により乱反射されるので、導光板５２の前面での輝きが全域で均等化され、照明むらの発生が有効に抑制される。
【００４５】
反射部５３としては、この例のような光拡散板を用いるものに限らず、鏡面板のような反射板を用いてもよく、また、その場合、全体が平坦な形状のものに限らず、前記導光板５２の凹凸条部５２１に嵌合するような凹凸条部を表面側に設けた反射板を使用してもよい。さらにまた、導光板５２の裏面側を白色塗料等を塗布したり鏡面を構成する金属を蒸着したりすることにより導光板５２と一体的な反射部を構成することも可能である。その場合、安価に製作できることになる。
【００４６】
なお、この実施形態では、導光板５２に裏面に形成される凹凸条部５２１をとして、横断面形状が三角形状のものを例示したが、この凹凸条部５２１の横断面形状はこれに限らず、任意に変更可能である。
【００４７】
また、この実施形態では、光源として、点光源である複数のＬＥＤを円弧状に配列した例で説明したが、ＬＥＤ以外の各種点光源を使用することもできる。
【００４８】
さらにまた、点光源に限らず、例えばＥＬ素子等を円弧状に成形し、線光源として使用することも可能である。
【図面の簡単な説明】
【００４９】
【図１】この発明の一実施形態に係る遊技機の表示装置を示す正面図である。
【図２】同じく遊技機の表示装置における照光部を示す概略側面断面図である。
【図３】同じく照光部における導光板と反射部を示す分解斜視図である。
【図４】同じく導光板の一部の横断面図である。
【図５】同じく導光板を上方から見た平面図である。
【符号の説明】
【００５０】
１  装置本体
３，４  表示部
５  照光部
５１  光源
５２  導光板
５２ａ  導光板の要部
５２ｂ  導光板の外周端面
５３  反射部
５２１  凹凸条部
【図１】
2010035720.tif 000003
【図２】
2010035720.tif 000004
【図３】
2010035720.tif 000005
【図４】
2010035720.tif 000006
【図５】
2010035720.tif 000007